(57)【要約】【課題】小物陳列スタンドを視線より高い位置に置いた場合でも低い位置に置いた場合でも小物容器内の陳列商品の小物が良く見え、かつ取り出しやすいように配置でき通常の小物収納スタンドとしても利用できる構造とすること。【解決手段】小物陳列スタンドを、スタンドベースに垂直に立設した支柱と、その支柱を軸に回転可能にするため前記支柱で挿し通した複数のブラケットと、一側面に正方形の張出し部を有する係合片を突出した小物容器とで構成し、前記張出し部をはめ込むことが出来るＴ溝を有する係合部を前記ブラケットの周壁面の少なくとも一方向に形成して、そのブラケットに対して前記小物容器の開口部の向きを可変に嵌め合わせる構造とした。【選択図】図１
0003161906.tif 000002
【実用新案登録請求の範囲】
【請求項１】
スタンドベースに垂直に立設した支柱と、その支柱を軸に回転可能にするため前記支柱で挿し通した複数のブラケットと、開口部を有しその開口部の向きを前記ブラケットに対して可変に嵌め合わせた小物容器とからなることを特長とする小物陳列スタンド。
【請求項２】
小物容器の一側面に正方形の張出し部を有する係合片を突出し、ブラケットの周壁面の少なくとも一方向に前記張出し部をはめ込むことが出来るＴ溝を有する係合部を形成したことを特長とする請求項１記載の小物陳列スタンド。
【考案の詳細な説明】
【技術分野】
【０００１】
本考案は、陳列部分が箱型容器の小物陳列スタンドに関するものである。詳しくは、視線より高い位置に陳列した場合でも低い位置に陳列した場合でも、容器内の陳列商品の小物が良く見えるように配置することができ、通常の小物収納スタンドとしても利用できる構造の小物陳列スタンドに関するものである。
【背景技術】
【０００２】
現在、小物陳列スタンドは多種の構造のものがある。その中に小物を陳列する皿、あるいは小物を吊るす複数のフックがアームで支持され垂直に立設した支柱の周りを水平面で回転する構造のものがある。
【０００３】
前者の皿タイプの陳列スタンドでは小物が皿から落ちる心配があり、後者の吊るすタイプの陳列スタンドは小物の形状によっては吊るすことができないという問題があった。そこで、陳列する小物が落ちる心配もなく小物の形状に関係なく陳列できる箱型容器の陳列スタンドが考えられるが、箱型容器の開口部が上を向いた状態では陳列位置が視線より高い場合に中の小物が見えづらい、あるいは、容器から小物を取り出しにくいという問題があった。
【先行技術文献】
【特許文献】
【０００４】
【特許文献１】特開２００６−２７１５４２号公報
【特許文献２】実開昭５７−１７９８７２号公報
【考案の概要】
【考案が解決しようとする課題】
【０００５】
本考案が解決しようとする問題点は、小物陳列スタンドを視線より高い位置に置いた場合でも低い位置に置いた場合でも小物容器内の陳列商品の小物が良く見え、かつ取り出しやすいように配置でき、通常の小物収納スタンドとしても利用できる構造とすることである。
【課題を解決するための手段】
【０００６】
請求項１の小物陳列スタンドは、スタンドベースに垂直に立設した支柱と、その支柱を軸に回転可能にするため前記支柱で挿し通した複数のブラケットと、開口部を有しその開口部の向きを前記ブラケットに対して可変に嵌め合わせた小物容器とからなることを特長とする。
【０００７】
このように構成することにより、小物陳列スタンドを視線より低い位置に陳列する場合は小物容器の開口部を上にしてブラケットに取り付けて上から覗き込めるようにし、視線より高い位置に陳列する場合は小物容器の開口部を横向きしてブラケットに取り付けて横またはやや下から見上げても容器の中の小物が見えるようにすることができる。
【０００８】
請求項２の小物陳列スタンドは、小物容器の一側面に正方形の張出し部を有する係合片を突出し、ブラケットの周壁面の少なくとも一方向に前記張出し部をはめ込むことが出来るＴ溝を有する係合部を形成したことを特長とする。
【０００９】
このように構成することにより、小物容器はその開口部を上に向けた状態でブラケットに取り付けることもでき、横に向けた状態でブラケットに取り付けることもできる。またブラケットの周壁面に係合部を複数形成すると、さらに多くの小物容器を配置することができる。
【考案の効果】
【００１０】
以上のように本考案は、スタンドベースに垂直に立設した支柱の周りに複数の小物容器をその支柱を軸に回転可能に配置した小物陳列スタンドであるが、小物容器はその開口部を上向きあるいは横向きのどちらの状態でもブラケットに取り付けることができるので、視線より高い位置に陳列する場合は小物容器の開口部を横向きしてブラケットに取り付けて横またはやや下から見上げても容器の中の小物が見えるようにすることができ、視線より低い位置に陳列する場合は小物容器の開口部を上にしてブラケットに取り付けて上から覗き込めるようにすることができ、また通常の小物収納スタンドとしても利用できるという利点がある。
【図面の簡単な説明】
【００１１】
【図１】本考案の一使用状態を示した斜視図
【図２】各部材を分解した状態の斜視図
【図３】ブラケットと小物容器を示した平面図
【図４】ブラケットと小物容器を示した縦断面図
【図５】本考案の他の使用状態を示した斜視図
【図６】本考案の他の形態を示した分解斜視図
【図７】本考案の他の形態を示した斜視図
【考案を実施するための形態】
【００１２】
以下、本考案の実施の形態を図面に基づき説明する。
【実施例１】
【００１３】
図１は、本考案の小物陳列スタンド１であり、図２は、それを分解して示した斜視図である。複数の小物容器４０に、テレビのリモコンや携帯電話等の日用小物Ｑ及び文房具Ｂを入れた状態を示している。前記小物容器４０は開口部４１を上にして通常の物入れとして使用している状態であり、ブラケット３０と共にそれぞれの小物容器４０が支柱２０を軸として水平面で回転可能になっている。
【００１４】
小物陳列スタンド１は、円盤形状のスタンドベース１０に支柱２０を垂直に立設し、その支柱２０を複数個のブラケット３０に通し、そのブラケット３０の周壁面３３の一方向に形成した係合部３１のＴ溝３２に小物容器４０の一側面に突出形成した係合片４２の張出し部４３を嵌め合わせることにより複数個の小物容器４０を上下方向に配置している。
【００１５】
図３および図４は、ブラケット３０と小物容器４０の平面図と縦断面図である。小物容器４０の一側面に突出形成した係合片４２の張出し部４３は正方形であり、それを受けるブラケット３０の周壁面３３の一方向に形成した係合部３１のＴ溝３２もその大きさに合わせた正方形であるため、小物容器４０はその開口部４１を上に向けた状態でも横に向けた状態でもブラケット３０に取り付けることができる。
【００１６】
図５の小物陳列スタンド１は、小物容器４０の開口部を横に向けた状態にして互い違いに上下に配置したもので、小物容器４０の中に陳列物Ｐとしてミニカーを陳列した状態を示したものである。このような状態では小物陳列スタンド１を視線より高い位置に置いた場合でも陳列物Ｐが良く見える。
【００１７】
図６および図７は他の実施形態を示したもので、小物陳列スタンド２のブラケット３００は、その周壁面３０３の相反する二方向に係合部３０１、３０１を形成したもので、前記係合部３０１、３０１はそれぞれＴ溝３０２、３０２を有する。このような構成により２個の小物容器４０を対にして配置することができ、小物容器４０の開口部４１を上向きあるいは横向きにできると共に、同じ高さの小物陳列スタンド１と比較すると２倍の小物容器４０を配置できる。
【符号の説明】
【００１８】
１、２  小物陳列スタンド
１０    スタンドベース
２０、２１    支柱
３０、３００    ブラケット
３１、３０１    係合部
３２、３０２    Ｔ溝
３３、３０３    周壁面
４０    小物容器
４１    開口部
４２    係合片
４３    張出し部
Ｂ      文房具
Ｅ      先端プラグ
Ｐ      陳列物
Ｑ      日用小物
【図１】
0003161906.tif 000003
【図２】
0003161906.tif 000004
【図３】
0003161906.tif 000005
【図４】
0003161906.tif 000006
【図５】
0003161906.tif 000007
【図６】
0003161906.tif 000008
【図７】
0003161906.tif 000009